(57)【特許請求の範囲】
【請求項１】
主導体と分岐導体の同相間を接続導体を介して電気的に接続し、複数相の分岐を行う分岐装置であって、該接続導体と該分岐導体の同相間を電気的に接続可能な複数の分岐接続部と、該分岐接続部が収納された箱状体と、該箱状体に設けられ、該分岐導体が挿通される分岐挿通孔を有し、該複数の分岐接続部の少なくとも一部が、該主導体の外方に向かってデルタ配置関係で配設されていることを特徴とする分岐装置。
【請求項２】
複数の分岐挿通孔が、前記デルタ配置関係の複数の分岐接続部と対応する位置に配設され、且つ前記主導体の外方に向かってデルタ配置関係で配設されていることを特徴とする請求項１記載の分岐装置。
【請求項３】
前記箱状体は基材とカバー部材からなり、該カバー部材の外観が、前記分岐接続部のデルタ配置と略同一の略デルタ形状であることを特徴とする請求項１又は２記載の分岐装置。
【請求項４】
前記主導体と接続される前記接続導体の接続箇所がバスダクト厚さ方向へ直線状に配置されていることを特徴とする請求項１乃至３の何れかに記載の分岐装置。
【請求項５】
前記デルタ配置関係で配設する分岐接続部を中央相及び両外側相の３つで構成し、中央相を両外側相より外方へ高く設ける、若しくは両外側相を中央相より外方へ高く設けることを特徴とする請求項１乃至４の何れかに記載の分岐装置。
【請求項６】
前記分岐接続部の中央相を接続導体の基部の上端部近傍に設けると共に、前記分岐接続部の両外側相を接続導体の基部を互いに離反するように屈曲延設された屈曲片で構成することを特徴とする請求項５記載の分岐装置。
【発明の詳細な説明】
【０００１】
【発明の属する技術分野】
本発明は、例えばバスダクト等に於いて、主導体から分岐導体へ分岐を行うための分岐装置に関する。
【０００２】
【従来の技術】
従来、例えばバスダクト等の分岐装置として、主導体と分岐導体とを接続導体を介して電気的に接続するもので、接続導体と分岐導体とを電気的に接続する各相毎の分岐接続部を箱状体内に並設して収納し、前記箱状体に設けられた一つの分岐挿通孔に前記分岐接続部から分岐導体を外部に挿通して分岐する構成のものがある。
【０００３】
また、別例として、例えば実開昭５４−６７２９７号のように、主導体に電気的に接続する接続導体を各相毎に導体長さ方向にずらして配置し、前記接続導体をそれぞれ分岐導体と接続し、箱状体に設けられた一つの分岐挿通孔を介して前記分岐導体を外部に挿通して分岐する分岐装置がある。
【０００４】
そして、上記のような分岐装置では、箱状体が金属などの導電性を有する材料から形成されているものが一般的である。
【０００５】
【発明が解決しようとする課題】
しかし、上記分岐装置では、分岐挿通孔が一つしか設けられていないため、各相毎の分岐導体を前記分岐挿通孔に挿通するために分岐導体を束ねる為の無駄な空間が必要となり、分岐装置自体が長さ方向に大型化し、主導体を狭い空間に配置している場合等には分岐を行うのが困難となる不具合を生じていた。特に分岐導体の可撓性が低い場合には、広範囲に無駄な空間が必要とされる。
【０００６】
さらに上記前者の分岐装置では、各相毎の分岐接続部間の沿面距離、空間距離を確保するために各分岐接続部間を一定距離離して配置する必要があるが、各相の分岐接続部を並設して箱状体に収納しているため、分岐装置自体が幅方向に大型化し、上記同様に狭い空間での分岐を行うことが出来ないという不具合が生じていた。
【０００７】
上記後者の分岐装置は、接続導体を各相毎に導体長さ方向にずらして配置することから、上記前者の分岐装置の幅方向等の大型化という不具合を解消し得るものではあるが、主導体の各相毎に分岐用開口部を形成する必要があり、製造コストが高くなると共に、分岐装置自体が長さ方向に大型化してしまう不具合が依然として存するものである。
【０００８】
また上記分岐装置では、箱状体自体が金属製等の導電性を有する材料で形成されているため、分岐接続部と箱状体との間を絶縁するために、一定距離離して配設したり、或いは絶縁物を介して箱状体内に収納するものが一般的である。そのため、箱状体や分岐装置自体が大型化し、或いは分岐装置を組み立てる際に絶縁物を介在させる必要があるため、組立作業が困難になると共に製造コストがかかるという不具合が生じていた。
【０００９】
本発明は上記不具合を解消するものであり、その第一の目的は、箱状体等で形成された分岐装置を小型化し、狭い空間に主導体が配置されている場合等であっても、容易に分岐を取ることが可能な分岐装置を提供することにある。
【００１０】
また本発明の第二の目的は、分岐装置自体の組み立て作業が容易である分岐装置を提供することにある。
【００１１】
また本発明の第三の目的は、製造コスト等を低減することができる分岐装置を提供することにある。
【００１２】
また本発明の第四の目的は、分岐装置内の分岐接続部の接続状態を目視可能な分岐装置を提供することにある。
【００１３】
【課題を解決するための手段】
本発明の分岐装置は、主導体と分岐導体の同相間を接続導体を介して電気的に接続し、複数相の分岐を行う分岐装置であって、該接続導体と該分岐導体の同相間を電気的に接続可能な複数の分岐接続部と、該分岐接続部が収納された箱状体と、該箱状体に設けられ、該分岐導体が挿通される複数の分岐挿通孔を有し、該分岐挿通孔が該分岐接続部と対応する位置、例えば略同一配置に配設されていることを特徴とする。
【００１４】
また本発明の分岐装置は、主導体と分岐導体の同相間を接続導体を介して電気的に接続し、複数相の分岐を行う分岐装置であって、該接続導体と該分岐導体の同相間を電気的に接続可能な複数の分岐接続部と、該分岐接続部が収納された箱状体と、該箱状体に設けられ、該分岐導体が挿通される分岐挿通孔を有し、該複数の分岐接続部の少なくとも一部がデルタ関係で配設されていることを特徴とするものであり、例えば各相毎の分岐接続部の少なくとも一部を主導体外方に向かってデルタ配置すると好適である。
【００１５】
さらに本発明の分岐装置は、上記複数の分岐接続部の少なくとも一部がデルタ関係で配設されている分岐装置に於いて、前記分岐挿通孔が複数設けられ、該分岐挿通孔が前記分岐接続部と対応する位置に配設されていることを特徴とする。例えば、各相毎の分岐接続部の少なくとも一部を主導体外方に向かってデルタ配置すると共に、前記分岐挿通孔も前記分岐接続部に対応してデルタ配置するものである。
【００１６】
さらに本発明の分岐装置は、上記分岐装置に於いて、前記箱状体はそれぞれ端縁の対応する位置に凹部が形成された基材とカバー部材が対向配置されてなり、前記分岐挿通孔の一つ以上が該基材の凹部と該凹部と対応する該カバー部材の凹部間で形成されていることを特徴とする。
【００１７】
さらに本発明の分岐装置は、上記分岐装置に於いて、少なくとも前記カバー部材が絶縁性素材からなることを特徴とする。
【００１８】
さらに本発明の分岐装置は、上記分岐装置に於いて、少なくとも前記カバー部材が透明性を有することを特徴とする。また、本発明の分岐装置は、前記主導体と接続される前記接続導体の接続箇所がバスダクト厚さ方向へ直線状に配置されていることを特徴とする。  また、本発明の分岐装置は、前記デルタ配置関係で配設する分岐接続部を中央相及び両外側相の３つで構成し、中央相を両外側相より外方へ高く設ける、若しくは両外側相を中央相より外方へ高く設けることを特徴とし、好適には、前記分岐接続部の中央相を接続導体の基部の上端部近傍に設けると共に、前記分岐接続部の両外側相を接続導体の基部を互いに離反するように屈曲延設された屈曲片で構成する。
【００１９】
【作用】
複数相からなる主導体と接続導体の同相間を接続し、接続導体と分岐導体の同相間を接続し、主導体から接続導体を介して分岐導体に電気的な接続を行って分岐を行う分岐装置で、少なくとも接続導体と分岐導体との分岐接続部を箱状体内に収納し、箱状体内から外部に分岐導体を挿通する複数の分岐挿通孔を分岐接続部の配置と略同一の配置にすること等により、分岐接続部から分岐挿通孔までの間に分岐導体を束ねる無駄な空間を形成する必要がなくなり、分岐装置や箱状体をその長さ方向等に小型化することが可能となる。
【００２０】
また、主導体から接続導体を介して分岐導体に電気的な接続を行って分岐を行う分岐装置で、少なくとも接続導体と分岐導体との分岐接続部を箱状体内に収納し、分岐接続部の少なくとも一部を主導体外方に向かってデルタ配置すること等により、各分岐接続部間の沿面距離や空間距離を確保した状態で、分岐装置や箱状体をその幅方向等に小型化することが可能となる。
【００２１】
さらに、分岐接続部の少なくとも一部を主導体外方に向かってデルタ配置すると共に、箱状体内から外部に分岐導体を挿通する分岐挿通孔を分岐接続部と同様に少なくとも一部をデルタ配置すること等により、分岐装置や箱状体をその長さ方向及び幅方向等に小型化することが可能となる。
【００２２】
また、例えば半円の凹部を端縁にそれぞれ有する略凹形の基材とカバー部材とから箱状体を構成し、基材とカバー部材の端縁同士を重ね合わせて或いは当接して半円同士を重ね合わせ或いは突き合わせ、前記凹部間に略円形の開口部を形成し、この開口部を分岐挿通孔として使用する等の構成により、組立作業時に分岐挿通孔に分岐導体を挿通する作業を行う必要がなく、分岐導体と接続導体の接続を行った後にカバー部材を被覆するだけでよい。そのため、組立作業が容易になり、加えて施工コストや製造コスト等を低減することも可能となる。
【００２３】
また、カバー部材をプラスチックなどの絶縁性素材、好適には基材もプラスチック製等の絶縁性素材で形成することにより、収納されている分岐接続部とカバー部材や、或いは前記分岐接続部と基材及びカバー部材間の絶縁処理が不要となり、分岐装置自体をより小型化することが可能となる。
【００２４】
また、カバー部材を透明プラスチックなど透明性を有する素材で形成することにより、分岐接続部の接続状態を一目で認識することが可能となり、締め忘れを未然に防止すること等ができる。
【００２５】
【発明の実施の形態】
次に本発明の具体的な実施形態を図面に沿って説明するが、本発明はかかる実施形態に限定されるものではない。図１から図１０までは本発明の第一実施例を示し、図１〜図３は第一実施例の分岐装置、図４〜図６は第一実施例の分岐装置に於ける基材とカバー、図７〜図１０は第一実施例の分岐装置をバスダクトに接続する前或いは接続時の状態を示している。
【００２６】
第一実施例の分岐装置１は、３線式のバスダクトの主導体からの分岐を行うプラグイン分岐装置であって、バスダクトの接続部で分岐を行うものである。本実施例の前提として、分岐装置１を使用するバスダクト２０は、図７〜図１０に示すように、三線からなる平板の導体２１を主導体とし、導体２１はハウジング２２内の所定位置に配置された状態で収納されている。
【００２７】
またバスダクト２０の接続部３０は、図７及び図８の上下方向から突き合わせ状態で挿入配置されたバスダクト２０・２０の同相の導体２１・２１を相互に接続するもので、接続すべき同相の導体端部２１ａ・２１ａが両側の導電性接続部材３１・３１に沿うことで電気的に接続状態となる。前記接続部３０では、異相の導電性接続部材３１・３１間及び最外側の導電性接続部材３１とダクト側板継ぎ板３２間に絶縁セパレータ３３が沿って設けられ、これらを絶縁スリーブ３４ａに挿通された締着具３４で一括緊締することによりバスダクト２０・２０相互を接続する構成である。
【００２８】
前記接続部３０には、突き合わされた状態の導体端部２１ａ・２１ａ間で、且つその両側の導電性接続部材３１・３１間に空隙が形成され、後述する分岐装置の接続導体である分岐用端子を前記空隙に挿入することにより、バスダクト２０の導体２１と分岐導体とが電気的に接続されるようになっている。
【００２９】
前記接続部３０の対応開放面には接続上板３５及び接続下板３６を被覆して設け、バスダクト２０・２０にビス止め等で固定されている。接続上板３５、接続下板３６の少なくとも一方には、分岐装置の分岐用端子を挿通するための開口部を形成するが、本例では図９及び図１０に示すように、接続上板３５に開口部３５ａが形成されている。開口部３５ａは適宜に形成できるが、ノックアウト構造や開口部にカバーを設けるものなど分岐を行う場合のみ開放する構成とすると好適である。前記接続上板３５或いは接続下板３６の縁には、後述する分岐装置の底面に設けられた脚部の止め金具が係止され、分岐装置が固定される。
【００３０】
そして、分岐装置１には、図１〜図３に示すように、接続部３０の導電性接続部材３１・３１間に挿入される接続導体としての分岐用端子２の基部２ａと、分岐導体としての分岐ケーブル３の分岐ケーブル端子３ａの同相間を電気的に接続可能な分岐接続部４が設けられ、前記分岐接続部４は外側の分岐接続部４・４と中央の分岐接続部４とからなり、３つの分岐接続部４は図の正面視に於いてデルタ形状に配置して設けられている。
【００３１】
前記分岐ケーブル３は絶縁被覆され、その先端で露出した端子３ａには図に省略した孔が穿設されており、又分岐用端子２の基部２ａにも図に省略した孔が穿設されている。前記分岐接続部４では、端子３ａの一部と基部２ａの一部が前記孔を相互に合わせて積層して設けられ、前記孔に挿通したボルトやナット等の締着具４１により積層された基部２ａと端子３ａを緊締し、両者を電気的に接続し且つ固定する構成である。これらの分岐接続部４は箱状体をなす基材５及びカバー部材６で被覆され、分岐ケーブル３は基材５及びカバー部材６で形成される分岐挿通孔７に挿通することになる。
【００３２】
前記基材５は、透明なプラスチック製であり、上面開放の略箱形で、その底部５０ａには分岐用端子２を挿通する３つの分岐用端子挿通孔５１が形成されている。分岐用端子挿通孔５１は、図６に示すように、外側相の分岐用端子２・２を挿通する外側挿通孔５１ａ、５１ｃと中央相の分岐用端子２を挿通する中央挿通孔５１ｂからなる。前記分岐用端子挿通孔５１の近傍には、それぞれの分岐用端子２の基部２ａを固定するための基台部が形成され、前記基台部も外側相の分岐用端子２を固定するための外側基台部５２ａ、５２ｃと中央相の分岐用端子を固定する中央基台部５２ｂからなる。
【００３３】
外側基台部５２ａ、５２ｃは、互いに連なる凸部分が外側挿通孔５１ａ、５１ｃから横方向外方に形成されてなり、形成された凸部分の略中央に凹部５２ｉが形成されている。凹部５２ｉには、分岐用端子２と分岐ケーブル３の端子３ａを接続する際の締着具３１であるナットを収容可能であり、凹部５２ｉは前記ナットの回り止め機能を有する。中央基台部５２ｂは、前記中央挿通孔５１ｂを中心に外側基台部５２ａ、５２ｃよりも高い凸部分が形成されてなり、この凸部分の頂部に一方の幅方向端縁で立設している固定板５２ｊが設けられている。固定板５２ｊにも、前記外側基台部５２ａ、５２ｃと同様に、ナットを収納可能な回り止め用の凹部５２ｉが形成されている。これらの基材５は全て一体形成されており、外側基台部５２ａ、５２ｃと中央基台部５２ｂは正面視略三角形でデルタ配置されている。
【００３４】
前記基材５には、図４及び図５に示すように、その側面端縁の左右両側と基材５に一体形成された分岐ケーブル載置台５３上に、分岐挿通孔７を形成する半円形の凹部５０が設けられている。前記左右両側に形成された凹部５０は外側相の分岐挿通孔７を形成すべく外側相の分岐接続部４に対応する位置に設けられ、前記載置台５３上の凹部５０は中央相の分岐挿通孔７を形成すべく中央相の分岐接続部４に対応する位置に設けられ、３つの凹部５０は分岐接続部４のデルタ配置に対応して略同一のデルタ配置で設けられている。前記載置台５３は中央相の分岐挿通孔７が外側相の分岐挿通孔７より所要高さ分高くなるように所定高さで形成されている。又基材５の底面には止め金具５４を有する脚部５５が設けられている。
【００３５】
前記カバー部材６は透明なプラスチック製で、正面視で３つの分岐接続部４のデルタ配置と略同一の略デルタ形状の外観を有し、縦断面で略三角形に類似する台形である。これは、カバー部材６が絶縁性素材で形成されている為、分岐接続部４との空間距離を考慮する必要がなくなり、分岐接続部４の配置に合わせた形状にすることができ、箱状体自体をより小型化することが可能となる。前記カバー部材６には、基材５の凹部５０と対応する位置に、分岐ケーブル３が挿通される半円形の凹部６０が側面端縁に形成されている。前記半円形の凹部６０と基材５の凹部５０とを重ね合わせる或いは当接することにより、３つの分岐接続部４と略同一配置であるデルタ配置で円形の分岐挿通孔７が形成される。分岐装置１を組み立てる際には、基材５の凹部５０上に分岐ケーブル３を載置し、凹部６０を前記凹部５０の各々に重ね合わせ或いは当接してカバー部材６を被覆することになる。
【００３６】
また、前記分岐用端子２は導電性部材で形成され、基部２ａと接続部３０の導電性接続部材３１・３１間に挿入される接触部２ｂとからなる接触片２ｉと、湾曲部２ｃが形成されたばね片２ｊとからなり、左右一対の接触部２ｂ・２ｂとの間に湾曲部２ｃを位置させ、前記ばね片２ｊが一対の接触片２ｉ・２ｉで狭持されてなる。前記接触片２ｉは平板状の導体であって、その略中間位置には図に省略した段差部が形成され、前記段差部で区分けされる一方を左右一対の接触部２ｂ、他方を基部２ａとし、接触片２ｉは基部２ａから前記段差部で拡開されて接触部２ｂに至る。前記接触片２ｉの材質は銅製、アルミニウム製など導電性部材であれば適宜である。
【００３７】
前記基部２ａの上端部近傍には、分岐ケーブル３の端子３ａと締着具３１で接続するための図に省略した孔が穿設されており、又外側相の分岐用端子２の基部２ａは互いに離反するように略９０度屈曲され、その屈曲部分から屈曲片２ｐが形成されている。前記接触部２ｂは、導電性接続部材３１・３１間にプラグインして分岐接続する際の導電性接続部材３１との接触部分であり、その長手方向にスリット２ｍが設けられていると共に、その端部には外側面から先端部に向かって傾斜面２ｎが形成され、所定間隔に対向して設けられた導電性接続部材３１・３１間の空隙に挿し込みやすいよう形成されている。
【００３８】
外側相の分岐用端子２と基材５との固定は、基材５の外側基台部５２ａ、５２ｃの回り止め用凹部５２ｉにナットを収納し、屈曲片２ｐを外側基台部５２ａ、５２ｃに載置してボルト締め等で行われる。この屈曲片２ｐ上に分岐ケーブル３の端子３ａを載置し、締着具３１で一括緊締することにより、外側相の分岐接続部４で分岐用端子２と分岐ケーブル端子３ａの固定及び電気的接続を行うことができる。
【００３９】
また中央相の分岐用端子２と基材５との固定は、基材５の中央基台部５２ｂの固定板５２ｊに形成された回り止め凹部５２ｉ内にナットを収納し、中央相の分岐用端子２の基部２ａを固定板５２ｊに沿わせてボルト締め等で行われる。前記基部２ａに分岐ケーブル３の端子３ａを沿わせ、締着具３１で一括緊締することにより、中央相の分岐接続部４で分岐用端子２と分岐ケーブル端子３ａの固定及び電気的接続を行うことができる。
【００４０】
上記分岐装置１を使用する際には、例えば予め分岐用端子２及び分岐ケーブル３が分岐接続部４で接続され、基材５及びカバー部材６で被覆されている分岐装置１を用い、図７〜図１０に示すように、バスダクト接続部３０の接続上板３５の上方から前記分岐装置１を下降し、接続上板３５の開口部３５ａから分岐装置１の分岐用端子２を挿入すると共に、両脚部５５がバスダクト接続部３０の両側に位置するようにする。
【００４１】
前記開口部３５ａから挿入された分岐用端子２の各々は導電性接続部材３１・３１間に挿入され、分岐用端子２と導電性接続部材３１及びバスダクト導体２１は電気的に接続され、分岐用端子２を介して分岐ケーブル３への分岐が行われると共に、脚部５５の止め金具５４を接続上板４５の側端に係止すること等で分岐装置１は接続部３０に固定される。この際、分岐用端子２の導電性接続部材３１に対する接触は、ばね片２ｊによる接触部２ｂの両側方への付勢で良好な状態に保たれるので、電気的な接続状態も良好となる。
【００４２】
上記第一実施例の分岐装置１では、基材５内にデルタ配置して設けられた分岐接続部４で、分岐用端子２と分岐ケーブル３が固定され且つ電気的に接続されるので、外側相の分岐接続部４と中央相の分岐接続部４間及び外側相の分岐接続部４・４相互間の空間距離及び沿面距離を十分に確保した状態で、平面的に分岐接続部４が配置されている従来の分岐装置と比較して、分岐装置１自体を幅方向に小型化することが可能となる。また分岐接続部４と分岐挿通孔７を略同一配置にすることにより、分岐接続部４と分岐挿通孔７との間に分岐ケーブル３を束ねるための無駄な空間を設ける必要がなくなり、分岐装置１の長さ方向を小型化することが可能となる。即ち、第一実施例の分岐装置１により、分岐装置１自体の幅方向、長さ方向を小型化することができ、狭い空間での分岐が可能となる。
【００４３】
さらにカバー部材を透明なプラスチック製とすることにより、分岐装置１内の分岐接続部４の接続状態を目視することが可能となり、一目で分岐接続部４の締め忘れ等を確認することができ、事故を未然に防止することが可能となる。なお第一実施例の分岐装置１に於いては、基材５とカバー部材６を好適な透明なプラスチック製とし、良好な絶縁性及び目視可能性を確保したが、基材５若しくはカバー部材６を半透明の素材、不透明な素材、これ以外の絶縁性素材、非絶縁性素材等とすることも可能である。
【００４４】
また、本発明の分岐装置１は上記第一実施例に限定されるものではなく、例えば図１１に示す第二実施例のように、４線式のバスダクト２０に対応する分岐装置１にすることも可能である。本実施例の前記分岐装置１は第一実施例の構成とほぼ同様であるが、２つの中央基台部５２ｂ・５２ｂが設けられ、中央の分岐接続部４・４間の沿面距離や絶縁性を確保して４線式のバスダクト２０に対応するため、中央基台部５２ｂ・５２ｂ間に絶縁板８が固設されている。そして、４つの分岐用端子２と分岐接続部４が設けられ、図１１で略中央に位置する２つの分岐接続部４・４は絶縁板８で区切られて背中合わせに設けられている。
【００４５】
また、本発明の分岐装置１は上記のようなプラグイン方式に限定されず、図１２に示すように、タップオフ方式の分岐装置１であってもよい。前記分岐装置１は第一実施例の構成と類似するが、第一実施例のプラグイン分岐装置１の分岐用端子２に相当するものとして、バスダクト接続部３０の導電性接続部材３１に一体的に接続された接続導体９が設けられ、接続導体９は絶縁体１０に被覆されており、前記接続導体９の端子９ａは中央及び外側の分岐接続部４で各分岐ケーブル３の端子３ａに固定して接続されるようになっている。
【００４６】
以上、本発明の分岐装置の実施例について説明したが、本発明は上記実施例に限定されるものではなく、以下のような拡張及び変更も可能である。例えば、上記分岐装置１が対応するバスダクト２０は３線式或いは４線式の場合について説明したが、これに限定されるものではなく、５線式以上のバスダクトに対応可能な分岐装置１とすることも可能である。
【００４７】
また、上記実施例の分岐装置１は、バスダクト２０の接続部３０で分岐を行う実施例について説明したが、分岐をバスダクト２０の中間部分で行う分岐装置としてもよく、例えば、バスダクト２０内の導体２１に接続導体を直接溶接等して固定した場合なども本発明に含まれ、少なくとも、接続導体と分岐導体を有し、分岐接続部の一部をデルタ配置するものや、或いは分岐接続部と分岐挿通孔を略同一配置にするものは全て含まれる。
【００４８】
また、複数の分岐接続部と複数の分岐挿通孔が対応する位置に設けられているものであれば、両者が一対一で対応して所定位置で設けられている場合の他、分岐装置を長さ方向に小型化できる対応関係であれば全て本発明に含まれる。
【００４９】
また、上記実施例の分岐装置１では、分岐用端子２を導電性接続部材３１・３１間に挿し込むクリップ形状について説明したが、これに限定されるものではなく、導体を挟み込むクリップ形状であってもよく、且つスリット２ｍは本発明の必須条件ではない。
【００５０】
また、上記実施例では、中央相の基台部５２ｂを外側相の基台部５２ａ、５２ｃよりも高く形成したが、逆に、中央相の基台部５２ｂを外側相の基台部５２ａ、５２ｃよりも低く形成してもよい。
【００５１】
また、４線式以上の場合などは、分岐接続部４を固定する上記基台部の高さを各相毎に変更して設けても良く、交互に高低配置するようにしてもよい。
【００５２】
また、上記実施例では、各相の分岐接続部４のみを箱状体内に収納してなる分岐装置１について説明したが、本発明は少なくとも分岐接続部４を収納すればよく、ブレーカー等を収納してなる分岐装置も含まれることは言うまでもなく、この場合は接続導体と分岐導体とをブレーカーを介して接続することとなる。この場合はブレーカー端子と分岐導体との接続部が分岐接続部となる。
【００５３】
【発明の効果】
本発明の分岐装置は、分岐挿通孔を分岐接続部の各々と対応する位置に配設することにより、分岐導体を束ねるための無駄な空間を不要とし、分岐装置を長さ方向等に小型化することができる。また分岐接続部のデルタ関係の配設により、隣合う各相の空間距離及び沿面距離を十分に確保した状態で、分岐装置を幅方向等に小型化することができる。またカバー部材等を絶縁性素材で形成することにより、各相の分岐接続部とそれぞれカバー部材又は基材との間の空間距離或いは沿面距離を考慮する必要がなく、特にカバー部材を分岐接続部の配列に合わせた断面形状とすることができ、分岐装置全体を小型化できる。従って、箱状体等で形成された分岐装置を小型化することが可能となり、狭い空間に主導体が配置されている場合等であっても容易に分岐を行うことができる効果を奏する。
【００５４】
また本発明の分岐装置は、基材とカバー部材にそれぞれ設けられた凹部同士で分岐挿通孔を構成することで、分岐接続部の接続作業時に分岐導体を分岐挿通孔に挿通する作業が不要となること等により、その組立作業を容易に行うことができる。
【００５５】
また本発明の分岐装置の基材やカバー部材などの構成部品は簡単な構成であり、又上記凹部同士で分岐挿通孔を構成すること等から、製造コストや施工コストなどコスト低減を図ることができる。
【００５６】
また本発明の分岐装置はカバー部材などの構成部品を透明性を有するものとすること等で、分岐装置内の分岐接続部の接続状態等を目視可能なものとすることができ、例えば分岐接続部の接続状態を一目で認識し、その締め忘れを未然に防止すること等が可能となる。
【図面の簡単な説明】
【図１】本発明の第一実施例の分岐装置を示す一部切欠平面図。
【図２】本発明の第一実施例の分岐装置を示す一部切欠右側面図。
【図３】本発明の第一実施例の分岐装置を示す縦断正面図。
【図４】第一実施例の分岐装置に於ける基材とカバー部材の分離状態を示す正面図。
【図５】第一実施例の分岐装置に於ける基材とカバー部材を重ね合わせた状態を示す正面図。
【図６】第一実施例の分岐装置に於ける基材の平面図。
【図７】第一実施例の分岐装置のバスダクト接続前の状態を示す側面図。
【図８】第一実施例の分岐装置のバスダクト接続時の状態を示す側面図。
【図９】第一実施例の分岐装置のバスダクト接続前の状態を示す縦断正面図。
【図１０】第一実施例の分岐装置のバスダクト接続時の状態を示す縦断正面図。
【図１１】本発明の第二実施例の分岐装置を示す縦断正面図。
【図１２】本発明の第三実施例の分岐装置に於けるバスダクト接続時の状態を示す縦断正面図。
【符号の説明】
１  分岐装置
２  分岐用端子
２ａ  基部
２ｂ  接触部
３  分岐ケーブル
４  分岐接続部
４１  締着具
５  基材
５１ａ、５１ｂ、５１ｃ  分岐用端子挿通孔
５２ａ、５２ｂ、５２ｃ  基台部
５３  載置台
６  カバー部材
５０、６０  凹部
７  分岐挿通孔
８  絶縁板
９ａ  接続導体端子
２０  バスダクト
２１  導体
３０  接続部
３１  導電性接続部材
【図１】
0003644670.tif 000002
【図２】
0003644670.tif 000003
【図３】
0003644670.tif 000004
【図４】
0003644670.tif 000005
【図５】
0003644670.tif 000006
【図６】
0003644670.tif 000007
【図７】
0003644670.tif 000008
【図８】
0003644670.tif 000009
【図９】
0003644670.tif 000010
【図１０】
0003644670.tif 000011
【図１１】
0003644670.tif 000012
【図１２】
0003644670.tif 000013